(57)【特許請求の範囲】
【請求項１】
内燃機関の燃料噴射装置の搬送ポンプの作業室に接続せしめるため又は吐出弁及び吸込み弁によって燃料導管から区切られた手動ポンプケーシングの内室に接続せしめるための手動操作可能なポンプであって、ポンプシリンダ（１）とポンプピストン（３）とを備え、ポンプシリンダ（１）内のポンプピストン（３）の端面（５）がポンプ作業室（７）を制限し、該ポンプ作業室（７）は、ポンプ作業室（７）に向って閉じる吐出弁（１７）を介して搬送ポンプの作業室に接続されており、また外からの押圧力によって発生するポンプ吐出ストローク運動に抗して少くとも１つの戻しばね（４５）の力が作用し、かつ吐出弁（１７）がポンプのポンプシリンダ（１）及びポンプピストン（３）の運動する部分のポンプピストンストローク運動の際運動する部分における突き棒（２５）によって突き開らかれる形式のものにおいて、
手動操作可能なポンプのポンプピストン（３）が、不動であって搬送ポンプのケーシングに固定されており、ポンプシリンダ（１）は、戻しばね（４５）の力に抗してポンプピストン（３）上をスライド可能であって、ポンプピストン（３）とは反対の側を閉じる端面（９）を有しており、該端面（９）に、ポンプ吐出ストローク運動を発生せしめるための外からの押圧力を負荷することができ、ポンプ作業室（７）とは反対の方向に開く吐出弁（１７）が、接続導管接続部として形成されたポンプピストン（３）の軸方向の貫通孔（１１）内の燃料導管と、ポンプ作業室（７）との間に配置されており、突き棒（２５）が、ポンプシリンダ（１）の端面（９）から出発してポンプシリンダ（１）に不動に結合されており、ポンプシリンダ（１）がその開放端部においてストッパスリーブ（３３）に結合されており、該ストッパスリーブ（３３）は、その内径によって軸方向でポンプピストン（３）上をスライド可能であり、かつストッパスリーブ（３３）のポンプシリンダ（１）とは反対側の端部に内方に向って突出するリングウェブ（３９）を有し、該リングウェブ（３９）は、ポンプピストン（３）の段部（４１）によって、ポンプシリンダ（１）のストローク運動をポンプ作業室（７）の拡大部の方向（吸込みストローク）に向って制限するストッパを形成していることを特徴とする、内燃機関の燃料噴射装置の搬送ポンプのための手動操作可能なポンプ。
【請求項２】
吐出弁（１７）が球として形成された弁部材（１９）を有し、該弁部材（１９）は閉じた状態で弁ばね（２１）によって、貫通孔（１１）の直径縮小部（４９）に形成された弁座（１３）に当接して保持されていることを特徴とする、請求項１記載の手動操作可能なポンプ。
【請求項３】
弁ばね（２１）の他端は、弁ばねの吐出弁から離れた側で貫通孔（１１）内に挿入されたスリーブ（２３）に支持されていることを特徴とする、請求項２記載の手動操作可能なポンプ。
【請求項４】
弁ばね（２１）が吐出弁（１７）とは反対の側で、ポンプピストン（３）の貫通孔（１１）内に配置されたリブ（５６）の肩部（５４）に支持されていることを特徴とする、請求項２記載の手動操作可能なポンプ。
【請求項５】
吐出弁（１７）が弁プレートとして形成された弁部材（１９）を有し、該弁部材（１９）は、弁ばね（２１）によって偏平な弁座（５０）に当接して保持されていること特徴とする、請求項１記載の手動操作可能なポンプ。
【請求項６】
突き棒（２５）がその外周部に、翼状に半径方向に突出した案内面（２７）を有し、該案内面（２７）によって突き棒（２５）は、ポンプピストン（３）内の貫通孔（１１）の直径縮小部（４９）を備えた、弁座（１３）に隣接する孔区分において軸方向に案内されていること特徴とする、請求項１記載の手動操作可能なポンプ。
【請求項７】
突き棒（２５）が円形リング状又はＣ字状の横断面を有していることを特徴とする、請求項１記載の手動操作可能なポンプ。
【請求項８】
ポンプ作業室（７）がポンプシリンダ（１）とポンプピストン（３）との間に締込まれた少くとも１つのシールリング（２９）によって外方に対してシールされていることを特徴とする、請求項１記載の手動操作可能なポンプ。
【請求項９】
ポンプシリンダ（１）がその開放端部に直径拡大部を有し、該直径拡大部によってポンプシリンダ（１）がストッパスリーブ（３３）の外径上に被せ嵌めされており、この両構造部材の固定が互いに係止結合部を介して行われていることを特徴とする、請求項１記載の手動操作可能なポンプ。
【請求項１０】
ポンプシリンダ(１)がストッパスリーブ（３３）に超音波溶接されていることを特徴とする、請求項１記載の手動操作可能なポンプ。
【請求項１１】
ポンプピストン（３）の端面（５）とポンプシリンダ（１）の閉じた端面（９）との間に戻しばね（４５）が張設されていることを特徴とする、請求項１記載の手動操作可能なポンプ。
【請求項１２】
ポンプピストン（３）がそのポンプ作業室（７）とは反対側の端部にねじ山（１５）を有し、該ねじ山（１５）によってポンプピストン（３）は、搬送ポンプのケーシング内に螺入可能であることを特徴とする、請求項１記載の手動操作可能なポンプ。
【請求項１３】
ポンプピストン（３）とポンプシリンダ（１）との間に戻しばね（４５）を案内しているばね皿（５２）が配置されていることを特徴とする、請求項１記載の手動操作可能なポンプ。
【請求項１４】
ばね（２１，４５）を除く、ポンプの全構造部材が、プラスチックから構成されていることを特徴とする、請求項１記載の手動操作可能なポンプ。
【発明の詳細な説明】
【０００１】
【産業上の利用分野】
本発明は、内燃機関の燃料噴射装置の搬送ポンプの作業室に接続せしめるため又は吐出弁及び吸込み弁によって燃料導管から区切られた手動ポンプケーシングの内室に接続せしめるための手動操作可能なポンプであって、ポンプシリンダとポンプピストンとを備え、ポンプシリンダ内のポンプピストンの端面がポンプ作業室を制限し、該ポンプ作業室は、ポンプ作業室に向って閉じる吐出弁を介して搬送ポンプの作業室に接続されており、また外からの押圧力によって発生するポンプ吐出ストローク運動に抗して少くとも１つの戻しばねの力が作用し、かつ吐出弁がポンプのポンプシリンダ及びポンプピストンの運動する部分のポンプピストンストローク運動の際運動する部分における突き棒によって突き開らかれる形式の、内燃機関の燃料噴射装置の搬送ポンプのための手動操作可能なポンプに関する。この種の手動で操作可能なポンプは、運転開始時の装置への充填のために、又は例えばフィルタ挿入体の交換の際の処置に基く再充填及び排気のために役立っている。
【０００２】
【従来の技術】
ドイツ国特許出願第３５３４４８５号明細書によって公知のこの種の手動操作可能なポンプにあっては、手動操作可能な部材による戻しばねの力に抗してピストンの内方ストロークが、ポンプシリンダ内に案内されてその位置で作業室を制限している弁突き棒によって行われている。弁突き棒はピストンの吐出ストローク中球弁を、ポンプに接続された搬送ポンプの装置に押し当てており、更に媒体が、ポンプの作業室から、搬送ポンプの作業室に吐出弁を介して接続されている燃料導管系内へと押し込まれている。続くピストンの自動的な戻りストロークの際媒体は、該搬送ポンプに吸込み弁を介して接続された、ポンプのポンプ作業室内の吸込み装置と、搬送ポンプの作業室とを介して吸込まれ、その際球弁は戻りストロークの終期において自動的に閉じる。
【０００３】
その際公知のポンプは、ポンプピストンの内方ストロークを発生せしめる外方の力を伝達するために、押圧プレートから突き棒に亙りポンプピストン上に比較的多くの構造部品が必要であり、ひいては製作コスト及び組立コストが高価につくという欠点を有している。
【０００４】
【発明が解決しようとする課題】
本発明の課題は上述の欠点を除去することにある。
【０００５】
【課題を解決するための手段】
本発明では、手動操作可能なポンプのポンプピストンが、不動であって搬送ポンプのケーシングに固定されており、ポンプシリンダは、戻しばねの力に抗してポンプピストン上をスライド可能であって、ポンプピストンとは反対の側を閉じる端面を有しており、該端面に、ポンプ吐出ストローク運動を発生せしめるための外からの押圧力を負荷することができることによって、上記課題を解決することができた。
【０００６】
【発明の効果】
内燃機関の燃料噴射装置の燃料ポンプのための、請求項１に記載の特徴を備えた本発明の手動操作可能なポンプは、従来の技術とは異なった運動経過によってポンプピストンが不動でポンプシリンダが運動する。同時にポンプシリンダは手動力のための作動部材として役立っているため、特別な押圧プレート及び伝達部材を省くことができるという利点を有している。
【０００７】
この簡素化された構造形式によって製作及び組立の経費が低下する外に、部品数の減少に基いて本発明のポンプの構造容積を、完全な機能能力を保持したままで著しく削減することができる。その結果省スペース的な構造の外に重量軽減も達成される。
【０００８】
更にポンプの作業室と燃料導管系との間の接続部が、開放制御される吐出弁を省スペース的にポンプピストンの軸方向貫通孔内に直接配置することができ、それによって吐出弁が付加的な構造空間を必要としないようになっている場合は特に有利である。
【０００９】
ポンプの吐出ストローク中吐出弁の開放が確実に保証され得るようにするため、ポンプシリンダは有利には、その閉じた端面から突き出ている軸方向の突き棒を有し、該突き棒は、吐出弁の弁閉鎖部材をポンプシリンダの全ストローク運動に亙って連行する。このことは、吐出弁を確実に開放するという利点の外に、他方で弁閉鎖部材を負荷している弁ばねが続くポンプシリンダの吸込みストローク中ポンプシリンダの戻り運動を支持するので、ポンプ本来の戻りばねの寸法を小さくすることができ、乃至は付加的なばねを省くことができるという利点を有している。その際この例では、軸方向の突き棒が弁閉鎖部材に配置されていて、ポンプシリンダの吐出ストローク運動中突き棒の端面がポンプシリンダの閉じた端面に当接し、そのため同じ様に弁閉鎖部材が、全吐出ストローク運動中開放方向に連行されうるようになっているという構成も可能である。
【００１０】
吸込みストローク方向におけるポンプシリンダのストロークを確実に制限するために、この実施例のポンプシリンダは有利な形式でストッパスリーブに結合されており、該ストッパスリーブは、ポンプピストンの段部と協働してストッパを形成している、内方に向って突出するリングウェブを介し、戻しばねによって発生するポンプシリンダの滑動距離を作業室の拡大の方向に（吸込みストローク）向って制限している。その際リングウェブと段部とは有利な形式で円錐形に構成されており、これによってポンプシリンダとストッパスリーブとがピストンに芯合せせしめられ、かつ半径方向の力を半径方向の振動によって良好に減衰せしめることができる。ポンプシリンダは係止閉鎖部を介してストッパスリーブに結合されており、該ストッパスリーブは簡単に分解することができる。しかしこの場合、ストッパスリーブを省き（乃至はストッパスリーブをポンプシリンダに溶接する）かつポンプシリンダを１体状に構成することも可能であり、その場合距離を制限しているストッパは、ポンプシリンダの下方開放端部の面取り部を貫いて内方に向って形成されている。ポンプの作業室のシールは、有利な形式でポンプピストンとポンプシリンダとの間に締め込まれたシールリングを介して行われ、その際シール作用は各要求に応じてシールリングの数によって強化することができる。更にポンプピストンはポンプシリンダの反対側のその端部にねじ山を有し、該ねじ山によってポンプピストンは搬送ポンプのケーシングに直接螺入可能である。
【００１１】
（ばねを除く）ポンプの全構成部分をプラスチックで構成すると更に有利であり、その場合は全手動ポンプの重量を明らかに軽減することができる。
【００１２】
本発明の対象のその他の利点及び有利な構成については、図面、説明書及び請求項の範囲から推定可能であろう。
【００１３】
【実施例】
本発明の対象の３つの実施例を図面に図示し、次にこれを詳細に説明する。
【００１４】
図１に図示の、内燃機関の燃料噴射装置燃料ポンプのための手動操作可能なポンプにあっては、ポンプシリンダ１がポンプピストン３上を軸方向にスライド可能に案内されており、その際ポンプピストン３はそのポンプシリンダ１内に突入した端面５でポンプ作業室７を制限し、該ポンプ作業室７は、他方ではポンプシリンダ１の閉じた端面９によって制限されている。ポンプピストン３は軸方向の貫通孔１１を有し、該貫通孔１１は、大きな直径を備えた、端面５とは反対側の端部から出発しており、該直径はポンプ作業室側の端部で弁座面１３を形成し乍ら円錐状により小さな寸法４９に減少している。その際この貫通孔１１は、ポンプ作業室７と図示なしの搬送ポンプの作業室とを接続する燃料導管を形成しており、該搬送ポンプは、燃料噴射ポンプの運転の際その燃料を供給するために駆動されていてピストンポンプとして構成されており、該ピストンポンプは、ポンプピストン３のポンプ作業室とは反対側の端部においてポンプピストン３に接続されている。このためポンプピストン３は導管接続部として形成されていて、そのポンプシリンダ１とは反対側の端部にねじ山１５を有し、該ねじ山１５によってポンプピストン３は搬送ポンプのケーシング内に螺入可能である。その際この例では手動ポンプを、ポンプ作業室の吐出弁及び吸込弁を用いて搬送ポンプとして作業せしめることも可能である。
【００１５】
ポンプ作業室７と搬送ポンプの燃料導管系との間の燃料導管は、燃料導管系の方向に開放している吐出弁１７によって貫通孔１１内で閉鎖制御乃至開放制御可能である。ポンプ作業室７を搬送ポンプの作業室に対して閉鎖しているこの吐出弁１７は、第１実施例にあっては球状の弁部材１９から成り、該弁部材１９は、吐出弁１７が閉じている場合には弁ばね２１によって円錐形の弁座内１３に当接して保持されている。その際弁ばね２１は他方では、貫通孔１１内に挿入されたスリーブ２３に支えられており、該スリーブ２３は有利には貫通孔１１内に圧入されており、その場合その圧入深さによって弁ばね２１の予張力を調節することができる。弁ばね２１内で弁球１９が軸方向で内方へ滑動するのを阻止するため、弁ばね２１の最終巻線の直径がスパイラル状に減少している。
【００１６】
吐出弁１７は軸方向の突き棒２５によって作動可能であり、該突き棒２５はこの実施例の場合、ポンプシリンダ１の閉じた端面９から出発してその長さが次のような寸法になっている。つまり棒２５がポンプシリンダ１の吐出ストローク運動の開始と共に吐出弁１７の弁部材１９に当接するようになり、かつ吐出弁１７が別の吐出ストローク運動の際吐出弁１７の自由端面と共に弁座から持ち上げられうるような寸法である。突き棒２５は、別に形成された弁部材に配置されていても宜く、かつその場合はその自由端部によってポンプシリンダ１の閉じた端面に当接するようになっているか乃至は弁部材１９及びポンプシリンダ１に１体に構成されていても宜い。また突き棒２５はその周面に翼状の案内面２７を有し、その外周面は貫通孔１１の直径の減少した部分１９内で軸方向に案内されており、かつ翼状の案内面２７の間に残っているその中間室を介して、ポンプ作業室７から貫通孔１１内への燃料の貫流が可能である。
【００１７】
ポンプ作業室７は、ポンプピストン３の外周面とポンプシリンダ１の内周面との間に配置された少くとも１つのシールリング２９によって外方に対してシールされており、そのためにポンプシリンダ１はその開放端部に段部３１を有し、該段部３１を介してその内径が拡大され、その内径にシールリング２９が当接している。シールリング２９はポンプシリンダ１とは反対の側でストッパスリーブ３３の端面によって負荷されており、該ストッパスリーブ３３は軸方向でポンプシリンダ１によって締め込まれている。このためポンプシリンダ１は、その開放端部の拡大された直径によってストッパスリーブ３３の外周面を超えて覆っており、かつ軸方向の安全のためにその開放端面に配置された複数の係止アーム３５によってストッパスリーブ３３の溝３７に係止している。その際ストッパスリーブ３３及びポンプシリンダ１の軸方向における安全性は、ねじ山を介しても行われており、該ねじ山を介して両部分が互いに螺着されており、その場合このねじ山は自動弛緩しないように保護されている。ストッパスリーブ３３はポンプシリンダ１とは反対の側のその下方端部に円錐形に内方に向って突入しているリングウェブ３９を有し、該リングウェブ３９は、円錐形の直径縮小部を貫いてねじ山１５の方向に発生した、ポンプピストン３の外周面の段部４１と協働していて、ストッパスリーブ３３に不動に結合されたポンプシリンダ１の軸方向のストローク運動を、ポンプピストン３に抗してポンプ作業室７の拡大する方向（吸込みストローク）で制限しているストッパを形成することができるように構成されている。これとは反対のポンプシリンダ１の吐出ストローク運動は、突き棒２５の段部４３によって制限され、該突き棒２５はポンプピストン３の端面５と協働している。
【００１８】
更に吸込みストローク中のポンプシリンダ１の戻り運動のために、戻しばね４５がポンプシリンダ１の閉じた端面９とポンプピストン３の端面５との間に配置されており、該ばね４５は、ピストン端面５の窪み４７内と段部４３を形成している突き棒２５の横断面拡大部とに案内されている。
【００１９】
図２に図示の第２実施例にあっては、吐出弁１７の弁部材１９が貫通孔１１とポンプ作業室７との間でプレート弁として構成されている。貫通孔１１の直径は、ポンプ作業室側の端部において階段状に、より小さな寸法４９に減少している。その際これによって形成された偏平面５０が、プレート弁として形成された弁部材１９のための弁座面を形成している。更に突き棒２５は、第２実施例では円形状又はＣ字状の横断面を有し、かつポンプシリンダ１の閉じた端面９への移行部において複数のリブ５１によって補強されている。これらのリブ５１は、戻しばね４５をセンタリングせしめ、かつポンプピストン３の端面と協働して吐出ストローク方向におけるストロークのストッパを形成している。
【００２０】
ポンプピストン３はそのポンプ作業室７の側の端部のその外周に、横断面縮小部によって形成された段部５３を有し、該段部５３には多様にスリットの付いた杯形のばね皿５２が当接し、該ばね皿５２はポンプピストン３に締り嵌めされている。その際ばね皿５２は、その閉じた端面によってシールリング２９の軸方向の位置を保護し、かつ戻しばね４５のポンプピストン側の載置面を形成している。ばね皿５２の多様にスリットの付いたコップ状の部分は、予張力の元にポンプシリンダ１に当接して、ポンプシリンダ１をポンプピストンに対して半径方向で支持している。図２においてポンプシリンダ１はストッパリング３３に溶接されており、また（ばね２１，４５を除いた）総ての構造部材がプラスチックから構成されている場合にはストッパリング３３がポンプシリンダに超音波溶接されている。
【００２１】
ストッパリング３３のリングウェブ３９及びポンプピストン３の段部４１は第１実施例と同じ様に円錐形に形成されていて、吸込みストローク方向におけるポンプシリンダのストローク制限部を形成している。更にストッパが円錐形に構成されているため、ストッパスリーブ３３及びポンプシリンダ１のポンプピストン３上のセンタリングと、構造部材相互の半径方向の支持とが行われうるようになっている。
【００２２】
図３に図示の第３実施例は、前述の実施例とは弁ばね２１のための、吐出弁から離れた当接面の構成が異なっており、該当接面はこの場合、肩部５４によってポンプピストン３の貫通孔１１の内方に形成されている。その際肩部５４は貫通孔１１内に配置されたリブ５６によって形成されており、該リブ５６はポンプピストン３に対し軸長手方向に配置されていて、その吐出弁１７とは反対側の端面で肩部５４を形成しており、更に半径方向の環状リブも可能である。この場合弁ばね２１と吐出弁１７との組み込みは貫通孔１１のポンプ作業室側から行わなければならないので、弁座１３はポンプピストン３の作業室側の端面上に載置されている。このため図２によって公知の杯形のばね皿５２はポンプピストン３に沿って延びるスリーブ５８を有し、該スリーブ５８は、ポンプピストン３の作業室側の端面において折れ曲っていて、更に貫通孔１１内へと延びている。その位置でスリーブ５８は、その端面６０によってプレート弁として形成された弁部材１９のための弁座を形成している。
【００２３】
本発明の手動操作可能なポンプは次の様に作業する。図示の不作業位置乃至出発位置では、吐出弁１７が閉じていて、ポンプ作業室７が空気乃至燃料又はそれらの混合物で充填されている。ポンプシリンダ１の閉じた端面９上に外方から作用する押圧力は、同時にハンドグリップとして役立っていて、戻しばね４５の力に抗してポンプシリンダ１の内方ストロークを惹き起し、ポンプシリンダ１がポンプピストン３の上方をスライドする。その際この突き棒２５の吐出ストロークの開始と共に吐出弁１７が開放され、かつ弁部材１９が全吐出ストロークに亙り弁ばね２１の力に抗して連行される。その際燃料は、ポンプ作業室７から、貫通通路１１及び案内面２７を貫通して突き棒２５に形成された自由横断面を介して搬送ポンプ及び燃料噴射装置の燃料導管系内に押し込められる。内方ストローク乃至吐出ストロークの後にかつ外方押圧力が終了した後に、ポンプシリンダ１の戻りストローク乃至吸込ストロークが、戻しばね４５と弁ばね２１との戻し力によって反対方向で自動的に行われて、吐出弁１７の閉じた、図示のポンプの不作業位置に戻るようになる。その際空気乃至燃料は搬送ポンプの作業室から図示なしの吸込弁を介してポンプ作業室７内に吸い込まれ、更には搬送ポンプから又搬送ポンプへの、空気乃至燃料の交互の吸込みと押出しとによって、燃料噴射装置が燃料で充填されかつそれによって排気せしめられる。
【００２４】
つまり本発明に基く手動操作可能なポンプの簡単な作業原理によって、可能な部品数、構造の大きさ、プラスチック材料から成る構成の場合には重量を、並びに燃料噴射装置の搬送ポンプにおける手動ポンプの製造工数を、夫々顕著に減少させることができる。更にポンプピストン、弁部材及びばねが鋼材から成る構成の場合には、火災に対しても安全に維持することができる。
【図面の簡単な説明】
【図１】本発明の手動操作可能なポンプの第１実施例の縦断面図であって、ポンプシリンダの中心軸方向の突き棒が切断されずにその輪郭が図示されており、かつポンプピストンの端面がポンプ作業室を直接制限している。
【図２】円形状の突き棒と、ポンプシリンダの戻しばねを案内するための、ポンプピストンの付加的なばね皿とを備えた第２実施例の図である。
【図３】ポンプピストンの貫通孔内に配置されたリブと、ポンプ作業室を閉じる吐出弁部材のために載設された弁座とを備えている第３実施例の図である。
【符号の説明】
１    ポンプシリンダ
３    ポンプピストン
５    端面
７    ポンプ作業室
９    端面
１１    貫通孔
１３    弁座面
１５    ねじ山
１７    吐出弁
１９    弁部材
２１    弁ばね
２３    スリーブ
２５    突き棒
２７    案内面
２９    シールリング
３１    段部
３３    ストッパスリーブ
３５    係止アーム
３７    溝
３９    リングウェブ
４１，４３    段部
４５    戻しばね
４７    窪み
４９    直径縮小部
５０    偏平面
５１    リブ
５２    ばね皿
５３    段部
５４    肩部
５６    リブ
５８    スリーブ
６０    端面
【図１】
0003636375.tif 000002
【図２】
0003636375.tif 000003
【図３】
0003636375.tif 000004